(57)【要約】【課題】確実に入力キーを押せるようにした加熱調理器を提供する。【解決手段】本体１と、本体１の加熱室２と、加熱室２の前面を覆うドア３と、被加熱物を加熱する加熱手段と、加熱手段の各種設定や指示の内容を入力する入力キー４４を設けた操作表示部６とを備え、操作表示部６に、第１の板バネ３４ａによって周囲を支持され各種設定や指示を入力する入力部５８と、入力部５８の裏面に当接し第２の板バネ３６ｆに支持され入力部５８に当接する面とは反対側に入力キー４４を押す凸形状をしたボス４９を設けた押下部６８とを備えたものである。【選択図】  図１０
2012229845.tif 000002
【特許請求の範囲】
【請求項１】
本体と、該本体の加熱室と、該加熱室の前面を覆うドアと、被加熱物を加熱する加熱手段と、該加熱手段を制御する制御手段と、前記加熱手段の各種設定や指示の内容を前記制御手段に入力する入力キーを設けた操作表示部とを備え、
該操作表示部に、
第１の板バネによって周囲を支持され各種設定や指示を入力する入力部と、
該入力部の裏面に当接し第２の板バネに支持され前記入力部に当接する面とは反対側に前記入力キーを押す凸形状をしたボスを設けた押下部と
を備えたことを特徴とする加熱調理器。
【発明の詳細な説明】
【技術分野】
【０００１】
本発明は、加熱調理器の操作部の構造に関するものである。
【背景技術】
【０００２】
特許文献１に示す従来の加熱調理器で用いられる操作部は、操作パネル内部に設けた入力手段のタクトスイッチを押すためのボスと、ボスをタクトスイッチのストローク方向に押し込み、また元の位置に戻るように設けた板バネがパネルと一体に成形されている。そして、その操作パネルの表面には、各スイッチの名称などが記載され、板バネ部の隙間から水が入り込まないように表示シートが貼られている。
【先行技術文献】
【特許文献】
【０００３】
【特許文献１】特開２０００−６５３６０号公報
【発明の概要】
【発明が解決しようとする課題】
【０００４】
しかしながら、特許文献１に示すものでは、操作パネルの表面から入力キーのタクトスイッチまでの距離が長い場合や、面積の広い入力部の端部を押すと板バネ部を支点としてボスが左右もしくは上下に振られタクトスイッチを押せなくなる問題があった。
【課題を解決するための手段】
【０００５】
本発明は上記の問題を解決するためになされたものであり、本体と、該本体の加熱室と、該加熱室の前面を覆うドアと、被加熱物を加熱する加熱手段と、該加熱手段を制御する制御手段と、前記加熱手段の各種設定や指示の内容を前記制御手段に入力する入力キーを設けた操作表示部とを備え、該操作表示部に、第１の板バネによって周囲を支持され各種設定や指示を入力する入力部と、該入力部の裏面に当接し第２の板バネに支持され前記入力部に当接する面とは反対側に前記入力キーを押す凸形状をしたボスを設けた押下部とを備えたものである。
【発明の効果】
【０００６】
本発明によれば、加熱調理器の操作部にタクトスイッチを用いた場合、入力部のどの位置を押してもボスが確実にタクトスイッチを押すことができる。
【図面の簡単な説明】
【０００７】
【図１】一実施例の加熱調理器の正面図。
【図２】同加熱調理器のカバーを取外してドアが開いた状態の正面斜視図。
【図３】同加熱調理器の断面図。
【図４】一実施例の加熱調理器のＬＥＤ表示部の説明図。
【図５】同加熱調理器の操作表示部のタッチパネル付き表示部と操作キー群の説明図。
【図６】同加熱調理器の操作表示部。
【図７】同加熱調理器の操作表示部の分解説明図。
【図８】同加熱調理器の操作表示部のボタンプレートの単体図。
【図９】同加熱調理器の操作表示部の「あたため／スタート」キー周辺のパネル部の説明図。
【図１０】同加熱調理器の操作表示部の「あたため／スタート」キー部の断面図。
【図１１】同加熱調理器の操作表示部の“簡単レンジ”の操作を示す図。
【図１２】同加熱調理器の操作表示部の“簡単レンジ”の“表示”と“音声”を示す図。
【図１３】同加熱調理器の操作表示部の“簡単レンジ”の操作を説明する図。
【発明を実施するための形態】
【０００８】
以下、本発明の一実施例について添付図面を用いて詳細に説明する。
【０００９】
図１〜図３に示すように、本実施例の加熱調理器は、本体１に加熱調理する食品等の被調理物を収容する加熱室２と、加熱室２の前方に設けられ被調理物を出し入れする開閉自在なドア３と、加熱室２の底面に設けられた被調理物を載置する回転しないテーブル４とを備えている。なお、この構成はいわゆるターンテーブルレス式と言われるものである。ドア３は上部に取っ手２６を備えている。
【００１０】
テーブル４の下部には、テーブル４を支える重量センサー５ａ，５ｂ，５ｃを備えており、この重量センサー５ａ，５ｂ，５ｃで検出される被調理物の重量に応じて調理時間を決定することができる。
【００１１】
また、加熱室２内の左奥上部には、サーミスタで構成する温度センサー４０が設けられており、この温度センサー４０が検出する温度に応じて調理出力，調理時間等を決定することもできる。これに赤外線センサーなどを用いてもよい。
【００１２】
また、ドア３の中央部には大きく形成されたガラスから成る窓部２３を備えており、調理中の加熱室２内を覗き見ることができる。さらにドア３の下側には操作表示部６が設けられている。２５は加熱調理器の両側面と上面を覆うカバーである。
【００１３】
以上で説明した本実施例の加熱調理器は、電子レンジ調理を行うレンジ加熱手段，オーブン調理を行うオーブン加熱手段，グリル調理を行うグリル加熱手段，スチーム調理を行うスチーム加熱手段の４種類の加熱手段を単独もしくは組み合わせて行うことにより多様な調理を行うことができる。
【００１４】
まず、図２，図３を用いて加熱手段について説明する。
【００１５】
電子レンジ調理は、テーブル４上に載置した被調理物にマイクロ波を与え、被調理物内の水分等の分子を振動させることで発生する摩擦熱によって積極的に被調理物を加熱する調理方法である。この電子レンジ調理の特徴としては、被調理物の表面と内部の温度を同時に短時間で加熱して上昇させることが挙げられる。
【００１６】
電子レンジ調理を行うためのレンジ加熱手段は、電子レンジ調理の加熱源であるマイクロ波を発振するマグネトロン７と、マグネトロン７から発振するマイクロ波の出力を制御するインバータ基板８を備えている。このインバータ基板８は制御手段９により制御され所望のマイクロ波を被調理物に与え電子レンジ加熱を行うことができる。
【００１７】
また、マグネトロン７から発振したマイクロ波を加熱室２に導く導波管１０と、加熱室２にマイクロ波を攪拌しながら照射する回転アンテナ１１と、回転アンテナ１１を回転させるアンテナモータ１２を備えており、マイクロ波が一部に集中するのを防ぐため、制御手段９がアンテナモータ１２を制御して回転アンテナ１１を回転させて所望の攪拌動作を行っている。そして、マグネトロン７と、導波管１０と、回転アンテナ１１と、アンテナモータ１２は加熱室底２ａと底板３０との間の機械室１３に配置している。
【００１８】
次に、グリル調理について説明する。加熱室２の上壁面の外側に電熱ヒータ１４を備えている。この電熱ヒータ１４は制御手段９により制御され、加熱室２の上壁面を適切な温度にすることで、テーブル４上に載置した被調理物に所望の輻射熱（遠赤外線）を与えて被調理物を表面から焼き上げる加熱方法でグリル調理を行う。
【００１９】
次に、オーブン調理について説明する。オーブン調理は、テーブル４上に載置した被調理物に、加熱室奥２ｂの外側に設けた熱風ユニット１５により被調理物に熱風を与えることにより被調理物を加熱する加熱方法である。
【００２０】
オーブン調理を行うためのオーブン加熱手段は熱風ユニット１５によって構成され、熱風ユニット１５は、加熱室奥２ｂのほぼ中央に回転自在に設けられたファン等の送風手段１６と、この送風手段１６の空気流の流出側に設けられた電熱ヒータ１７と、送風手段１６に連結されたモータ１８とで構成される。
【００２１】
そして、電熱ヒータ１７付近の孔２１から出た熱風は被調理物を加熱し、被調理物を加熱した後の風は加熱室奥２ｂの略中央部に設けられた孔２２を介して再び熱風ユニット１５に取り込まれる。
【００２２】
次に、スチーム調理について説明する。スチーム調理は、テーブル４上に載置した被調理物にスチームを与え、被調理物を加熱する調理方法である。
【００２３】
スチーム調理を行うためのスチーム加熱手段は、図１に示すように、加熱室２の下に着脱自在のタンク５０を備え、タンク５０の水をパイプ５１を通して給水手段１９で吸い上げてパイプ５２で供給された水をヒータによって加熱してスチームを発生させる蒸気発生手段２０を備えている。蒸気発生手段２０は加熱室側面２ｃの外側に設けられ加熱室２に噴出口７ａを出している。
【００２４】
この給水手段１９と蒸気発生手段２０は制御手段９により制御され、加熱室２に所望の量のスチームを供給する。
【００２５】
次に、ドア３の下側に設けられた操作表示部６とドア３の窓部２３の下部に設けたＬＥＤ表示部１００について図１，図４〜図７を用いて詳細に説明する。
【００２６】
操作表示部６は、ドア３の横幅全体に渡って設け、その操作表示部６の横幅の略中央にタッチパネル付き表示部７０（詳細は後述）と、タッチパネル付き表示部７０の右に隣接して、横２個で２段に配列した４個の操作キーでなる操作キー群６０と、その右側で上側に「あたため／スタート」キー５２、下側に「とりけし」キー５３を上下に並べて設けている。
【００２７】
タッチパネル付き表示部７０は、表示する液晶表示器３７の表面に、使用者の指にて押下された時に、押下された位置の静電容量を変化するタッチパネル３８を設けて、制御手段９は、液晶表示器３７に表示する内容を出力し、表示した中でキーを表示する部分についてタッチパネル３８の静電容量が変化した位置のスイッチ入力を検出するものである。
【００２８】
タッチパネル付き表示部７０の表示内容について図５を用いて説明する。図５は、本体１に通電された待機状態を表示しているメニュー画面である。左端の上に、オート調理を示すオート表示７１、下には手動加熱を示す手動表示７２を配置する。オート表示７１の右には、横３列縦２段で６個のオート調理用のキーが表示され、手動表示７２の右には、横３列で３個の手動調理用のキーが表示される。
【００２９】
オート調理は、上段に左から、「あたため」キー７９，「料理集番号から」キー８０，「最近使ったメニュー」キー８１、下段に左から、「解凍下ごしらえ」キー７６，「調理分類から」キー７７，「材料から」キー７８を配置して構成されている。それぞれのキーを押下する操作によって、次の階層の表示へ移行し、何段階か階層を深くすることによって、所望のオート調理の料理の名称を選択できるようになっている。
【００３０】
一方、手動調理は、左から「レンジ」キー７３，「スチーム／オーブン／グリル・発酵」キー７４，「お手入れ／設定」キー７５で構成されている。それぞれのキーを押す操作によって、次の階層の表示へ移行して、何段階の階層を深くすることにより、所望の手動加熱による火力と加熱時間と仕上がり調整などの設定ができるようになっている。
【００３１】
また、操作キー群６０について、同様に図５で説明する。操作キー群６０は、タッチパネル付き表示部７０の右に隣接して、横２個で２段に配列した４個の操作キーで構成する。上段は左から「戻る」キー５４，「おしえて」キー５５、下段は左から「庫内灯」キー５６，「簡単レンジ」キー５７を配置して構成され使い勝手を考慮してキーの面積を大きめに設定されている。それぞれのキーは制御手段９に入力している。
【００３２】
「戻る」キー５４は、タッチパネル付き表示部７０の操作中に、誤設定を訂正するときに一つ前の階層に戻るものである。「おしえて」キー５５は、音声ガイドを報知させるもので前記したＬＥＤ表示部１００の「音声」表示１０８が点灯する。「庫内灯」キー６２は、被調理物の様子を確認するときに庫内の照明（図示無し）を点灯させるものである。
【００３３】
「簡単レンジ」キー５７は、簡単に加熱設定を行うもので、選択内容としては、前述した４種類の調理を行う各加熱手段を単独もしくは組み合わせる事も可能である。本実施例では「簡単レンジ」キー５７が入力されると、手動レンジ加熱が選択され、タッチパネル付き表示部７０に表示する汎用性の高い特定の二つの火力の選択キーから選択し、加熱時間設定を１０分未満に限定するレンジ加熱動作の容易な操作へ導入をするものである。
【００３４】
操作表示部６の右方で上側に「あたため／スタート」キー５２、その下側に「とりけし」キー５３を上下に並べて配置している。使い勝手を考慮して、「あたため／スタート」キー５２の方が「とりけし」キー５３よりも面積を大きく設けている。
【００３５】
また、「あたため／スタート」キー５２と、「とりけし」キー５３は、機械式スイッチを用いている。
【００３６】
「あたため／スタート」キー５２は、被調理物の重量を重量センサー５によって測定し重量に応じて加熱時間を自動で決定してレンジ加熱手段によって温める自動キーと、後述するタッチパネル付き表示部７０で操作した設定によって調理を開始するときに押すスタートキーを兼ねている。「とりけし」キー５３は、進行中の加熱を停止して、待機状態へ移行させ被調理物を取出す場合に操作するものである。
【００３７】
さらに、ＬＥＤ表示部１００の表示とその内容について図４を用いて説明する。「シャッター」表示１０１は、排気口への熱気漏れを防止するために、加熱室２の排気路をシャッターで閉塞した場合に点灯する。「レンジ」表示１０２，「オーブン」表示１０３，「グリル」表示１０４，「過熱水蒸気」表示１０５，「スチーム」表示１０６は、前記したそれぞれの加熱手段が一つまたは複数組み合わせて実施されている場合に動作に合わせて点灯する。「チャイルドロック」表示１０７は、操作表示部６による操作でチャイルドロックを設定した場合に点灯する。「音声」表示１０８は、操作表示部６で「おしえて」キー５５（図５）を押下されて音声ガイドを報知する場合に点灯する。
【００３８】
次に、操作表示部６とＬＥＤ表示部１００の構造について図６〜図１０を用いて説明する。
【００３９】
図６は操作表示部６とＬＥＤ表示部１００の一体となった内部構造を示す外観図である。この図６に示す外観図を基に詳細の構造について図７〜図１０を用いて説明する。
【００４０】
３１はパネルシートで、その材料は表面をハードコート処理したポリカーボネート材、もしくはアクリル材の板を使用し、操作キー群６０と「あたため／スタート」キー５２と「とりけし」キー５３を取付けるために開けた開口部３３を設け、前記タッチパネル付き表示部７０を設ける窓部３１ａと「あたため／スタート」キー５２の外周に設けたスタート外周部３１ｂは塗装を施さないように透明の状態にしている。そして、窓部３１ａの裏側には、両面テープなどによってタッチパネル付き表示部７０を構成するタッチパネル３８を貼り付けている。
【００４１】
３４はボタンプレートで（詳細は図８）、シートインモールド方式で一体に成形され、入力部５８は、操作キー群６０と「あたため／スタート」キー５２と「とりけし」キー５３から成り、各入力部は押下した後に、元の位置に戻るバネ構造を備えた板バネ３４ａで外郭３４ｂに接続されている。また、「あたため／スタート」キー５２部の外周部に透明な外周部５２ａを設けている。
【００４２】
３５は、防水・拡散シートで、防水と光を拡散させる目的として設けたポリエチレンテレフタレート製のシートで、ボタンプレート３４で設けた入力部５８の位置にエンボス加工３５ａを施し、入力部５８を押下した時に、押下する力を妨げないようにしている。
【００４３】
３６はパネルで、タッチパネル付き表示部７０を構成する液晶表示器３７を取付けるために開口したＬＣＤ開口部３６ａと、パネルシート３１の窓部３１ａの裏側に貼り付けたタッチパネル３８を埋め込む深さを設けた取付け面３６ｅと、タッチパネル３８の接続部３８ａをパネル内に引き込むための穴３６ｂと、ボタンプレート３４を埋め込む深さを設けた取付け面３６ｄと、ボタンプレート３４の操作キー群６０，「あたため／スタート」キー５２，「とりけし」キー５３を押下した時に連動してパネル３６内に制御手段９へ入力する入力キー４４であるタクトスイッチ４４ａを押す押下部６８を設けている。
【００４４】
各入力部５８と各押下部６８については、「あたため／スタート」キー５２を例にして詳細に説明する（バックライトを設けるための構造を除いて他の入力部と押下部と同じ）。
【００４５】
パネル３６に設けた押下部６１は（詳細は図９，図１０）、すり鉢状の反射部６１ｂを形成した押下部で、パネル３６とは左右に設けた板バネ３６ｆ（押下した後に元の位置に戻るためのバネ構造）によって支えられている。そして、反射部６１ｂの中央部には、パネル３６の内側に位置して備えたパネル基板４３に設けられているバックライト６７を臨む開口した穴６１ｄを設けている。そして、押下部６１のパネル３６の内側で反射部６１ｂの上側に支点リブ４９ｂを、下側に凸部となるボス４９を設け、ボス４９でパネル基板４３に設けられている入力キー４４であるタクトスイッチ４４ａを押す。
【００４６】
そして、押下部６１は、ボタンプレート３４に板バネ３４ａによって固定された「あたため／スタート」キー５２の裏側に防水・拡散シート３５を挟んで外周部５２ａに当接することで、「あたため／スタート」キー５２の押下した動きを押下部６１に伝え、タクトスイッチ４４ａを押して入力する。
【００４７】
ＬＥＤ表示部１００の内部構造については、４１に示すものは反射板で、発光素子４２ａの光を反射拡散して窓部２３に設けたＬＥＤ表示部１００を照らすもので、反射板４１には仕切り板４１ａで細分化され、それぞれの細分化された中に、ＬＥＤ基板４２に取付けた発光素子４２ａが設けられて、選択された機能に応じて発光素子４２ａを点灯し、ＬＥＤ開口部３６ｃ越しに窓部２３に設けられた表示を照らすようにしている。
【００４８】
以上の構成において、「簡単レンジ」キー５７が入力されて「あたため／スタート」キー５２を押下した動作について説明する。
【００４９】
「簡単レンジ」キー５７を使って、加熱する操作について図１１から図１３によって説明する。まず、被調理物を加熱室２のテーブルプレート５の上に載置させ、ドア３を閉める。操作表示部６のタッチパネル付き表示部７０の表示は、図５に示す待機状態となっている。
【００５０】
「簡単レンジ」キー５７を押下すると、図１１（ａ）に示す表示となる。
【００５１】
ここで、操作キー群６０の「戻る」キー５４，「おしえて」キー５５，「庫内灯」キー５６，「簡単レンジ」キー５７の四つのキーは、配置の関係から支持する板バネ３４ａが各キーに対して一箇所しか設けられていない。
【００５２】
しかし、前記同様に、例えば「簡単レンジ」キー５７を支持している板バネ３４ａと、「簡単レンジ」キー５７より更に奥行き方向に位置する板バネ３６ｆで支持されている押下部６６が「簡単レンジ」キー５７の裏面に当接して設けられている。
【００５３】
しかも、ボタンプレート３４の外郭３４ｂと「簡単レンジ」キー５７の下側が板バネ３４ａによって繋がれているので、「簡単レンジ」キー５７の下側つまり外郭３４ｂ側を支点として、上側つまり「おしえて」キー５５側が奥へ押し込まれる。
【００５４】
それに対してパネル３６と押下部６６の左側が板バネ３６ｆによって繋がれているので、押下部６６の左側を支点として押下部６６の右側が奥へ押し込まれる。
【００５５】
そのことによって、大きな操作キーである「簡単レンジ」キー５７の上側が奥へ押し込む動作を、「簡単レンジ」キー５７の略中央部に対抗して設けた比較的小さい押下部６６を右に押し込む小さな動作に限定するため、「簡単レンジ」キー５７は傾き難くなり確実な操作ができる。
【００５６】
また、ボタンプレート３４とパネル３６との間に防水・拡散シート３５を設けているので濡れた手で操作しても、水滴などがパネル３６内に入り込むことは無い。
【００５７】
図１１（ａ）に示すように、タッチパネル付き表示部７０の上部の全横幅に表題表示８２に「かんたんレンジ」を表示する。表題表示８２の下の空間を左右に２分割して火力を選択する「レンジ５００Ｗ」キー８３と「レンジ６００Ｗ」キー８４が表示され、この二つの火力からいずれかを選択する。
【００５８】
ここで、「レンジ５００Ｗ」キー８３と「レンジ６００Ｗ」キー８４を表示する理由は、冷凍食品のパッケージに電子レンジで加熱場合の表記として、現在普及している冷凍食品の多数は、５００Ｗの場合と６００Ｗの場合について、個数に合わせた加熱時間を表示されており、手動レンジ加熱の汎用性が最も高い火力である。そのため、使用者の使い勝手を考慮して５００Ｗと６００Ｗの二つの火力から選択させるものである。
【００５９】
そして、図１１（ｂ）は、「レンジ５００Ｗ」キー８３を選択した場合を示している。選択したことによって、「レンジ５００Ｗ」キー８３が、白地に黒文字の状態から黒地に白抜き文字に変わって選択したことを表している。また、同時に音声により、「５００ワットに設定しました。」と報知する。その後、図１１（ｃ）に示す加熱時間を設定する表示に切り換わる。
【００６０】
図１１（ｃ）は、表題表示８２の右側に、火力表示８５に「５００Ｗ」を表示し、下段には左から「１分」キー８８，「１０秒」キー８９を配置する。
【００６１】
「１分」キー８８の直ぐ上には分の数字を表示する表示部８６を、「１０秒」キー８９の直ぐ上には秒の数字を表示する表示部８７を配置する。表題表示８２の下には、加熱時間を９分５０秒まで表示できるように分の位を表示する表示部８６と、秒の位を表示する表示部８７によって表示する。
【００６２】
分は０から９まで１分毎、秒は０から５０秒まで１０秒毎の表示である。分の数字を表示する表示部８６を見ながら「１分」キー８８を、秒の数字を表示する表示部８７を見ながら「１０秒」キー８９を操作するのに適しており、誤操作を少なくする配置である。「１０秒」キー８９の右に「クリア」キー９０を設ける。「クリア」キー９０は、「１分」キー８８，「１０秒」キー８９で時間を設定するときに、所望の数字よりも長い時間の分秒を入力してしまった場合に、０分０秒に表示を戻すキーである。
【００６３】
次に、図１２は、「１分」キー８８で、１分を入力後、「１０秒」キー８９を３回押下して、１分３０秒を設定したきの表示を示している。そして、音声によって、「１分」キー８８を入力したときに、「１分です。」と鳴動し、「１０秒」キー８９を入力したときに、「１分１０秒です。」また「１０秒」キー８９を入力したときに、「１分２０秒です。」そして「１０秒」キー８９を入力したときに、「１分３０秒です。」と報知する。
【００６４】
ここで、「１分」キー８８，「１０秒」キー８９，分の数字を表示する表示部８６，秒の数字を表示する表示部８７について、さらに説明する。
【００６５】
冷凍食品を加熱する場合は、レンジによる加熱時間は、個数が増えても最大１０分未満、最小の設定単位は１０秒毎のものがほとんどである。そのため、使用者が１０分未満の短時間を設定するには、１分単位で最大９分５０秒までと１０秒単位で十分である。
【００６６】
そして４秒間無操作でいた場合に、音声によって、「よろしければスタートボタンを押してください。」と鳴動し、「あたため／スタート」キー５２の内側に備えられたバックライト６７によって「あたため／スタート」キー５２の外周部３１ｂを点滅させ誘導する。
【００６７】
バックライト６７が点灯・点滅すると、反射部６１ｂにて光を前方方向（「あたため／スタート」キー５２側）に集められ、「あたため／スタート」キー５２の裏側を照らすことになる。発光された光は「あたため／スタート」キー５２と押下部６１の間に設けられた防水・拡散シート３５と反射部６１ｂとの間で拡散して、後に防水・拡散シート３５から「あたため／スタート」キー５２部の外周部に設けた透明な外周部５２ａを透過してパネルシート３１に設けたスタート外周部３１ｂをムラの無い光で点滅する。
【００６８】
もし、防水・拡散シート３５を用いない場合は、「あたため／スタート」キー５２の裏面で光がより拡散できるように、「あたため／スタート」キー５２の裏面に凸凹を付けることで代用もできる。
【００６９】
前記の音声や点滅に誘導され、「あたため／スタート」キー５２を押下すると、音声によって、「５００ワット１分３０秒です。」と鳴動して設定内容を報知してレンジ加熱を開始する。
【００７０】
「あたため／スタート」キー５２を押下すると、「あたため／スタート」キー５２に防水・拡散シート３５を挟んで当接しているパネル３６に設けた押下部６１も同様に押されて、押下部６１のパネル３６の内側に凸部となるボス４９によって、パネル基板４３に設けられているタクトスイッチ４４ａを押して制御手段９に「スタート」の入力を伝える。
【００７１】
「あたため／スタート」キー５２は、使い勝手を考慮して面積を大きく設けているが、「あたため／スタート」キー５２を支持している板バネ３４ａと、「あたため／スタート」キー５２より更に奥行き方向に位置する板バネ３６ｆで支持されている押下部６１が「あたため／スタート」キー５２の裏面に当接して設けられている。
【００７２】
しかも、押下部６１が奥に移動すると、押下部６１の反射部６１ｂの上側に設けた支点リブ４９ｂがパネル基板４３に当たって規制されて、反射部６１ｂ下側に設けたボス４９だけが奥側へ移動できるようになり、パネル基板４３に設けたタクトスイッチ４４ａを確実に押すことができる。
【００７３】
そのため、例え「あたため／スタート」キー５２の端部を押されても「あたため／スタート」キー５２は傾き難くなり確実な操作ができる。
【００７４】
加熱が開始すると、図４に示すＬＥＤ表示器１００の「レンジ」表示１０２が点灯して、レンジ加熱が行われていることを示す。
【００７５】
次に、レンジ加熱中は、図１３（ａ）に示すように、残時間を表示し、調理中であることを示す。残時間を示す表示９１には「あと」を表示し、減算時間表示９２には、１秒毎に減算した時間を表示し、１分１９秒の例を示している。「１分」キー８８，「１０秒」キー８９，「クリア」キー９０が消灯し、代わって状態表示９３で「調理中です」を表示する。
【００７６】
最後に、図１３（ｂ）に示すように、タッチパネル付き表示部７０の略真ん中には状態表示９３で「調理が終了しました」を表示する。また、音声により「調理が終了しました。」と報知する。
【００７７】
上記した本実施例によれば、入力部５８の端部を押してもボス４９が入力キー４４に対して傾斜して振られる量は小さくなり、入力部５８のどの位置を押してもボス４９が確実に入力キー４４を押すことができる。
【符号の説明】
【００７８】
１  本体
２  加熱室
３  ドア
６  操作表示部
３４  ボタンプレート
３４ａ，３６ｆ  板バネ
３５  防水・拡散シート
３６  パネル
３７  液晶表示器
３８  タッチパネル
４４  入力キー
４９  ボス
５８  入力部
６０  操作キー群
６８  押下部
７０  タッチパネル付き表示部
【図１】
2012229845.tif 000003
【図２】
2012229845.tif 000004
【図３】
2012229845.tif 000005
【図４】
2012229845.tif 000006
【図５】
2012229845.tif 000007
【図６】
2012229845.tif 000008
【図７】
2012229845.tif 000009
【図８】
2012229845.tif 000010
【図９】
2012229845.tif 000011
【図１０】
2012229845.tif 000012
【図１１】
2012229845.tif 000013
【図１２】
2012229845.tif 000014
【図１３】
2012229845.tif 000015